(57)【要約】【課題】利用者が必要に応じてカバーを取り替えることができるランプ装置を提供することを目的とする。【解決手段】第１の端部１１１と第１の端部に相対する第２の端部１１２が形成されたベースユニット１０と、ベースユニット１０の第１の端部１１１側に配置される発光ユニット３０と、着脱可能に前記ベースユニット１０に装着され、透光性を有すると共に、中空状に形成された支持部材６１と、いずれも透光性の材料で形成されていると共に、それぞれ異なる色若しくはパターンを有する複数のカバー６２と、を備え、前記複数のカバー６２からいずれか一つを選択して支持部材６１に取り付けて該支持部材６１の外側を覆う。【選択図】図２
0003208773.tif 000002
【実用新案登録請求の範囲】
【請求項１】
第１の端部と前記第１の端部に相対する第２の端部が形成され、前記第１の端部と前記第２の端部の間に収容空間が画成されると共に、前記第１の端部の前記第２の端部から離れた表面に複数の第１の磁性体が設けられたベースユニットと、
前記収容空間に実装される回路モジュールと、
前記ベースユニットの前記第１の端部側に配置されると共に、前記回路モジュールと電気的に接続された少なくとも１つの発光ユニットと、
前記ベースユニットに実装されると共に、前記回路モジュールと電気的に接続され、前記回路モジュールに前記発光ユニットが必要とする電力を供給することができる電力供給ユニットと、
前記ベースユニットに実装されると共に、前記電力供給ユニットに電気的に接続され、前記発光ユニットのオンとオフを切り替えることができるスイッチと、
着脱可能に前記ベースユニットに装着され、透光性を有すると共に、内に空間を有するように中空状に形成された支持部材と、前記支持部材に固定される複数の第２の磁性体を備え、前記支持部材は前記第1の端部に対応する下側端部及び前記下側端部に相対する上側端部を備え、前記第２の磁性体は前記下側端部に設けられ且つそれぞれ前記第１の磁性体と相互に吸着できるランプユニットと、
いずれも透光性の材料で形成されていると共に、それぞれ異なる色若しくはパターンを有する複数のカバーと、
を備え、
前記複数のカバーからいずれか一つを選択して前記支持部材に取り付けて前記支持部材の外側を覆うことができることを特徴とする、ランプ装置。
【請求項２】
前記ランプユニットの支持部材は前記空間を覆うことができる内壁面と、前記内壁面に相対する外壁面と、前記下側端部に対応すると共に前記内壁面から前記空間に突き出した複数の下位置決めブロックとを備え、前記第２の磁性体は前記下位置決めブロックに設けられる、ことを特徴とする、
請求項１に記載のランプ装置。
【請求項３】
各前記カバーは、
それぞれ前記外壁面に貼り付けられることができるメインボディと、
前記メインボディに連接していて、前記下側端部に折り曲げられることにより、前記内壁面に貼り付けられることができる下位置決め部と、
前記メインボディに連接していて、前記上側端部に折り曲げられることにより、前記内壁面に貼り付けられることができる上位置決め部と、
を備える、ことを特徴とする、
請求項２に記載のランプ装置。
【請求項４】
前記ランプユニットの前記支持部材は、前記上側端部に対応すると共に前記内壁面から前記空間に突出する複数の上位置決めブロックを備え、
前記ランプユニットは、前記上側端部に固定される天板を備え、
前記天板は光が透過しない材質で形成され、前記上位置決めブロックに当接するように前記支持部材の前記上側端部に固定されて位置決めされる、
ことを特徴とする、
請求項３に記載のランプ装置。
【請求項５】
前記ベースユニットは、前記第１の端部にある基板及び前記基板の外周縁から前記第２の端部まで延伸する周壁を有する基部と、前記第２の端部において前記基部に取付けられることができる底板と、を備え、
前記収容空間は前記基板と前記周壁と前記底板の間に画成され、
前記基部の前記周壁の前記収容空間に臨む内周縁側は、前記第２の端部から前記第１の端部側に凹設された凹部と、前記凹部に設けられた複数の第３の磁性体を備え、
前記底板は、前記凹部に嵌め込まれるように前記基部に取付けられる底板本体と、前記底板本体に設けられ且つそれぞれが前記第３の磁性体と相互に吸着される複数の第４の磁性体と、を備える、
ことを特徴とする、
請求項１に記載のランプ装置。
【請求項６】
前記ベースユニットの前記基部の前記周壁は、前記凹部から前記周壁の前記収容空間に臨まない外表面まで前記収容空間の反対側へ延伸するように形成される切欠を備え、
前記底板には、前記第２の端部の側辺に位置し且つ前記切欠に嵌め込まれるように突出する凸部が設けられる、
ことを特徴とする、
請求項５に記載のランプ装置。
【請求項７】
前記電力供給ユニットは、前記収容空間に実装される電池モジュールを備える、
ことを特徴とする、
請求項１に記載のランプ装置。
【請求項８】
前記電力供給ユニットは、前記ベースユニットに実装されたＵＳＢポートを備える、
ことを特徴とする、
請求項７に記載のランプ装置。
【考案の詳細な説明】
【技術分野】
【０００１】
本願はランプ装置に関し、特に利用者が必要に応じてカバーを取り替えることができるランプ装置に関する。
【背景技術】
【０００２】
一般的なインテリアランプ、ベッドサイドランプ等のランプ装置は、いずれも暗い場所で淡い光を発生させ、お洒落な雰囲気を作り出すのに利用される。また、多くのインテリアランプ、ベッドサイドランプのランプシェード（ランプユニット）の模様（パターン）や色は、一度購入した後は基本的には変更できないため、利用者は気分に応じてランプシェードの模様や色を変更することができなかった。
【０００３】
以下、従来のランプ装置の構造を説明する。従来のランプ装置では、主にランプシェードの外周面には、複数の第１の結合部材が設けられ、且つ複数の構成部材からなりランプシェードを覆えるように形成されたカバーの各構成部材には、それぞれ第２の結合部材が設けられ、これらの第１の結合部材と第２の結合部材を相互に結合することにより、カバーを着脱可能にランプシェードに組み合わせる。
【０００４】
カバーは、内部に防虫剤や芳香剤或いは殺菌剤等を装着できるものであり、カバーをランプシェードに対して着脱可能とする目的は、主に防虫剤や芳香剤或いは殺菌剤等を取り付けるため、又は埃等が付着した際にカバーを取り外して洗浄することができるようにするためである。
【０００５】
すなわち、従来のランプ装置においてカバーとランプシェードを組み合わせ可能とするのは、ランプ器具の発光色を変え或いはその他の視覚的な変化を作り出すためのものではない。このような従来のランプ装置を示す文献としては、例えば以下の特許文献１を挙げられる。
【先行技術文献】
【特許文献】
【０００６】
【特許文献１】台湾実用新案登録第Ｍ４９４２５９号
【考案の概要】
【考案が解決しようとする課題】
【０００７】
これらの事情に鑑みて、本考案は、利用者の必要に応じてカバーを取り替えることで視覚的な変化を作り出すことができるランプ装置を提供することを目的とする。
【課題を解決するための手段】
【０００８】
上記目的を達成するべく、本考案は、第１の端部１１１と前記第１の端部に相対する第２の端部１１２が形成され、前記第１の端部１１１と第２の端部１１２の間に収容空間１１３が画成されると共に、前記第１の端部１１１の前記第２の端部から離れた表面に複数の第１の磁性体１１７が設けられたベースユニット１０と、前記収容空間１１３に実装される回路モジュール２０と、前記ベースユニット１０の前記第１の端部１１１側に配置されると共に、前記回路モジュール２０と電気的に接続された少なくとも１つの発光ユニット３０と、前記ベースユニット１０に実装されると共に、前記回路モジュール２０と電気的に接続され、前記回路モジュール２０に前記発光ユニット３０が必要とする電力を供給することができる電力供給ユニット４０と、前記ベースユニット１０に実装されると共に、前記電力供給ユニット４０に電気的に接続され、前記発光ユニット３０のオンとオフを切り替えることができるスイッチ５０と、着脱可能に前記ベースユニット１０に装着され、透光性を有すると共に、中空状に形成された支持部材６１と、前記支持部材６１に固定される複数の第２の磁性体６３を備え、前記支持部材６１は透光性の材料で形成され、前記支持部材６１は前記第1の端部１１１に対応する下側端部６１１及び前記下側端部６１１に相対する上側端部６１２を備え、前記第２の磁性体６３は前記下側端部６１１に設けられ且つそれぞれ前記第１の磁性体１１７と相互に吸着できるランプユニット６０と、いずれも透光性の材料で形成されていると共に、それぞれ異なる色若しくはパターンを有する複数のカバー６２と、を備え、前記複数のカバー６２からいずれか一つを選択して前記支持部材６１に取り付けて該支持部材６１の外側を覆うことができる。
【考案の効果】
【０００９】
上記の構成によれば、利用者は必要に応じてカバーを取り替えてランプ装置の視覚的な変化を作り出すことができる。
【図面の簡単な説明】
【００１０】
【図１】本考案によるランプ装置の組立図である。
【図２】本考案によるランプ装置の斜視分解図である。
【図３】本考案のランプ装置における正面の断面図である。
【図４】図３の部分拡大断面図である。
【図５】本考案によるランプ装置の底部の斜視図である。
【図６】本考案の他の実施例による模様を施したランプユニットのカバーである。
【考案を実施するための形態】
【００１１】
図１〜図３を参照して、本考案のランプ装置の実施例を説明する。ここで、図１は本考案によるランプ装置の組立図であり、図２は本考案によるランプ装置の斜視分解図であり、図３は本考案のランプ装置における正面の断面図である。図１〜図３に示すとおり、本考案のランプ装置は、ベースユニット１０、回路モジュール２０、発光ユニット３０、電力供給ユニット４０、スイッチ５０、及びランプユニット６０を備える。
【００１２】
ベースユニット１０は、基部１１と底板１２を備える。基部１１は略直方体に形成される。また、底板１２は基部１１に位置決めすることができる。
【００１３】
基部１１は、第１の端部１１１、第２の端部１１２、収容空間１１３、穴１１４、凹部１１５、周壁１５０、切欠１１６、複数の第１の磁性体１１７、複数の第３の磁性体１１８、環状溝部１１９を備える。
【００１４】
第１の端部１１１と第２の端部１１２は、互いに相対する位置に形成される。また、収容空間１１３は、第１の端部１１１と第２の端部１１２の間に形成される。穴１１４は、第１の端部１１１から収容空間１１３にかけて基板１５１に形成される。なお、穴１１４は、図２の実施例では円形であるが、必ずしも円形でなくても差し支えない。凹部１１５は、第２の端部１１２側から収容空間１１３に臨むように基部１１に凹設される。
【００１５】
周壁１５０は、ベースユニット１０の第１の端部１１１における基板１５１の外周縁から第２の端部１１２にかけて延伸する。切欠１１６は、凹部１１５から周壁１５０における収容空間１１３に臨まない外表面にかけて収容空間１１３の反対側へ延伸するように形成される。
【００１６】
第１の磁性体１１７は、第１の端部１１１における第２の端部１１２から離れた側の表面、即ち基板１５１の表面で図示したように四隅にそれぞれ一つずつ複数個設けられる。複数の第３の磁性体１１８は、凹部１１５の隅に対応するように設けられる。環状溝部１１９は、第１の端部１１１の外縁に階段状の溝を形成するように設けられる。
【００１７】
次に、図５も併せて参照して説明する。図５は本考案によるランプ装置の底部の斜視図である。底板１２は、底板本体１２１、凸部１２２、複数の第４の磁性体１２３（図２を参照のこと）を備え、且つ上述した収容空間１１３の底に形成された凹部１１５に嵌合して、ベースユニット１０に対して底面から蓋をすることができる。
【００１８】
底板本体１２１は、凹部１１５に嵌合する。凸部１２２は、第２の端部１１２の側辺に形成された切欠１１６に嵌めこむことができる形状、つまり切欠１１６に対応する形状に形成される。第４の磁性体１２３は、底板本体１２１に、且つ複数の第３の磁性体１１８とそれぞれ吸着できるような配置に、設けられる。このように、磁性体同士が吸着して底板１２が凹部１１５に嵌合しても、切欠１１６及び凸部１２２があるので、後述する電池モジュール４１の交換が容易である。
【００１９】
回路モジュール２０は収容空間１１３の内部に設けられる。
【００２０】
発光ユニット３０は第１の端部１１１に対応するようにベースユニット１０に設けられ、回路モジュール２０と電気的に接続される。また、発光ユニット３０から出力された光は、基板１５１に形成された穴１１４を介してランプユニット６０側を照らす。
【００２１】
電力供給ユニット４０はベースユニット１０に設けられ、回路モジュール２０に電気的に接続される。また、電力供給ユニット４０は、発光ユニット３０が発光するのに必要とする電力を、回路モジュール２０に供給する。本実施例において電力供給ユニット４０は、収容空間１１３に設けられた電池モジュール４１と、ベースユニット１０の基部１１に設けられたＵＳＢポート４２を含むが、これらのうちのいずれか１つでも差し支えない。
【００２２】
スイッチ５０は、ベースユニット１０の基部１１の側面、即ち周壁１５０に設けられ、電力供給ユニット４０に電気的に接続され、発光ユニット３０を発光させるか否かオンとオフを切り替えることができる。
【００２３】
ランプユニット６０は、ベースユニット１０に着脱可能に取り付けられ、且つ透光性を有する材料で形成される。また、ランプユニット６０は、支持部材６１、複数のカバー６２、複数の第２の磁性体６３、天板６４を備える。なお、カバー６２は図示しない異なる色彩（及び模様・パターン）が施された複数のカバーの中から選択される。
【００２４】
支持部材６１は中空状に形成される。なお、支持部材６１は、図２では直方体であるが、その他の形状でもカバー６２と対応した形状であれば差し支えない。複数のカバー６２は、いずれも透光性材料で形成されると共に、それぞれ同一若しくは異なる色又はパターンを有する。また、図２に示すようにカバー６２には支持部材６１の形状に対応するように折れ目を設けて、この折れ目に沿って折り曲げることにより、支持部材６１に貼り付け易くすることが好ましい。複数の第２の磁性体６３は、図２に示すように、後述する下側端部６１１の四隅に１つずつ設けられる。
【００２５】
本実施例の支持部材６１とカバー６２はいずれも透光材質を用いて作成され、例えば支持部材６１はアクリル系その他の透明のプラスチック材料を用いても良い。また、支持部材６１は、４つの筐体壁６１０によって中空筒状の直方体に形成される。更に、支持部材６１は、上述したベースユニット１０側に形成される下側端部６１１と、この下側端部６１１に後述する空間６１３を介して相対する上側端部６１２を備える。
【００２６】
支持部材６１は、下側端部６１１から上側端部６１２にかけてそれぞれ延伸すると共に互いに相対する内壁面６１４と外壁面６１５を備える。上記空間６１３は、この内壁面６１４によって４方向から囲まれて画定される。
【００２７】
また、支持部材６１は、これらの構成に加えて、複数の下位置決めブロック６１６と、複数の上位置決めブロック６１７を備える。
【００２８】
複数の下位置決めブロック６１６は、図２に示すように、下側端部６１１側の内壁面６１４が形成する四隅に、空間６１３に向けて下側端部６１１側から突出するよう設けられる（図３の断面図では内壁面６１４から空間６１３に向けて突出している）。
【００２９】
ここで、下側端部６１１側とは、具体的には図３に示すように、下位置決めブロック６１６が基板１５１に当接できるよう、環状溝部１１９の深さに対応する長さだけ下側端部６１１から奥まった位置を意味する。
【００３０】
複数の上位置決めブロック６１７は、図２に示すように、上側端部６１２側の内壁面６１４が形成する四隅に、空間６１３に向けて上側端部６１２側から突出するよう設けられる（図３の断面図では内壁面６１４から空間６１３に向けて突出している）。
【００３１】
ここで、上側端部６１２側とは、具体的には図３に示すように、上位置決めブロック６１７と天板６４が当接した際に、天板６４が上側端部６１２からはみ出さない程度に上側端部６１２から奥まった位置を意味する。
【００３２】
カバー６２は、それぞれが筐体壁６１０に対応する４つのラッピングシート６２０と、これらのラッピングシート６２０の内の１つの側辺に連接する接合シート６２０´を備える。なお、図示しない異なる色彩等が施された他のカバーについても同様である。
【００３３】
ラッピングシート６２０は、メインボディ６２１、下位置決め部６２２、上位置決め部６２３を備える。メインボディ６２１は、支持部材６１の外壁面６１５に貼り付けられる。
【００３４】
下位置決め部６２２は、図２に示すようにメインボディ６２１におけるベースユニット１０側の端部に連接し、図４において太線で示すように、先ず下側端部６１１に接するように折り曲げられて、更に、この下側端部６１１を介して内壁面６１４側に折り曲げられ、両面テープ６２４を用いて貼り付けられる。
【００３５】
同様に、上位置決め部６２３も、図２に示すようにメインボディ６２１における下位置決め部６２２と相対する側の端部（図２における上側）に連接し、図４において太線で示すように、先ず上側端部６１２に接するように折り曲げられて、更に、この上側端部６１２を介して内壁面６１４側に折り曲げられ、両面テープ６２４を用いて貼り付けられる。
【００３６】
このようにして、下位置決め部６２２と上位置決め部６２３は内壁面６１４における１つの側面で相対する位置関係となるように、両面テープ６２４で貼り付けることができる。なお、本実施例において、両面テープ６２４は予め貼り付けておいても差し支えない。
【００３７】
接合シート６２０´の使い方としては、例えば、両面テープ６２４の一方の面を剥がして接合シート６２０´に先ず貼り付ける。そして、一体的に形成された４つのラッピングシート６２０は、開いたときに、図２に示すようにシート状となるので、支持部材６１の各側面に対応して設けられた折れ目に沿って９０度ずつ順に折り曲げていき、最後に両面テープ６２４のまだ接着されていない他方の面に対して、一回りした後のラッピングシート６２０を貼り付けることにより、支持部材６１の外壁面６１５を覆うことができる。
【００３８】
下位置決め部６２２と上位置決め部６２３の形状は、折り曲げられた際に、それぞれ下位置決めブロック６１６及び上位置決めブロック６１７と干渉しないように、階段状に形成される。なお、ラッピングシート６２０にはそれぞれ異なる色彩若しくは模様（パターン）が施されても良いが、同一の模様等でも良い。
【００３９】
天板６４は光を通さない材料で生成され、ランプユニット６０に嵌め込まれた際には、天板６４の４つの角が上位置決めブロック６１７に当接し、上側端部６１２に固定される。なお、天板６４の厚さは、上位置決めブロック６１７に当接した際に、上側端部６１２の縁と同じ高さになることが好ましいが、これには限られない。
【００４０】
次に、図４を参照して磁性体同士の接合方法を説明する。ここで、図４は、図３の部分拡大断面図である。第２の磁性体６３は下側端部６１１側に設けられ、図示しない他の第２の磁性体６３も含めて、それぞれが第１の磁性体１１７に吸着する。本実施例では、第２の磁性体６３は下位置決めブロック６１６の内部に嵌めこまれている。
【００４１】
以下、カバー６２の支持部材６１への組み立て方法について説明する。
【００４２】
組み立て方法は、先ず両面テープ６２４の一方の面の剥離紙（図示せず）を引き剥がして、接合シート６２０´に貼り付ける。そして、カバー６２の各ラッピングシート６２０のメインボディ６２１を、折れ目に沿って９０度ずつ順に折り曲げながら、外壁面６１５全体を覆い、接合シート６２０´を対応するラッピングシート６２０の側辺に合わせ、両面テープ６２４の他方の面の剥離紙（図示せず）を引き剥がして、接合シート６２０´上の両面テープ６２４を対応するラッピングシート６２０に接着することにより、カバー６２の全体を支持部材６１に巻き回した状態とする。
【００４３】
続いて、ラッピングシート６２０の複数の下位置決め部６２２を、下側端部６１１を介して内壁面６１４側に折り曲げて、両面テープ６２４の剥離紙（図示せず）を引き剥がして、内壁面６１４に接着する。
【００４４】
上位置決め部６２３側の接着方法についても同様であり、複数の上位置決め部６２３を、上側端部６１２を介して内壁面６１４側に折り曲げて、両面テープ６２４の剥離紙を引き剥がして、内壁面６１４に接着する。なお、上位置決め部６２３と下位置決め部６２２はどちらを先に貼り付けても差し支えない。
【００４５】
このようにして上下方向においても上位置決め部６２３と下位置決め部６２２で接着することにより、カバー６２の全体を支持部材６１に固定する。
【００４６】
続いて、図３、図４に示すとおり、ランプユニット６０の下側端部６１１を環状溝部１１９に嵌め込む。その際、支持部材６１は、第２の磁性体６３とベースユニット１０の第１の磁性体１１７が相互に引き寄せあう作用により、ランプユニット６０をベースユニット１０に位置決めすることができる。
【００４７】
そして、天板６４を空間６１３に向けて複数の上位置決めブロック６１７に当接するまで挿入し、上側端部６１２に固定する。ここで、天板６４の固定を強化するため、複数のねじ６５を利用して、天板６４を上位置決めブロック６１７にねじ止めしても良い。ただし、天板６４は複数の上位置決めブロック６１７と内壁面６１４で位置決めされているので、必ずしもねじ止めする必要はない。
【００４８】
本考案のランプユニット６０のカバー６２は、図１、図５に示すとおり、透光性が高いペーパー製の浅い単一色でも差し支えない。なお、利用者は自ら色彩や模様を施しても差し支えない。
【００４９】
また、図６の他の実施例による模様を施したランプユニット６０のカバー６２のように、カバー６２の外表面には多種多様な模様、色彩、パターン、若しくはこれらの組み合わせを施しても差し支えなく、このような濃い色、薄い色、異なる模様、色彩、及びパターンの組み合わせを変更することにより、ランプ装置の使用時に生ずる視覚的効果が変化する。
【００５０】
更に、販売時に、それぞれ異なる色彩、模様等を施したカバー６２を複数個まとめて梱包し、これらの中から利用者が好みに応じて選択して使用できるようにすることもできる。
【００５１】
なお、回路モジュール２０はソフトウェア制御によって発光ユニット３０が発する輝度や発光パターンを変化させても差し支えなく、このようにすれば更に多くの変化を楽しむことができる。
【００５２】
このように、本考案によるランプ装置は、全体的な構成がシンプルでありながら、利用者の好みに応じてカバー６２を取り替えることができ、且つ比較的簡単に交換することができ、本考案の目的を達成し易い。
【００５３】
なお、以上の実施例は例示に過ぎず、本願の請求の範囲は例示した実施例に限られるものではない。例えば、本願のランプユニット６０は直方体であるが、面の数はこれには限られず、カバー６２の数と対応していれば差し支えない。従って、実施例に記載した内容に簡単な変更等を加えたものも、均等の範囲に含まれるものとする。
【００５４】
また、カバー６２は、販売時に既に支持部材６１に固定された状態である必要はなく、利用者が購入後にカバー６２を選択して支持部材６１に取り付けても差し支えない。上述の組み立て作業は製造販売メーカーで行なってから販売しても良く、最終消費者が自ら組み立てても良い。
【符号の説明】
【００５５】
１０        ベースユニット
１１        基部
１２        底板
２０        回路モジュール
３０        発光ユニット
４０        電力供給ユニット
４１        電池モジュール
４２        ＵＳＢポート
５０        スイッチ
６０        ランプユニット
６１        支持部材
６２        カバー
６３        第２の磁性体
６４        天板
６５        ねじ
１１１      第１の端部
１１２      第２の端部
１１３      収容空間
１１４      穴
１１５      凹部
１１６      切欠
１１７      第１の磁性体
１１８      第３の磁性体
１１９      環状溝部
１２１      底板本体
１２２      凸部
１２３      第４の磁性体
１５０      周壁
１５１      基板
６１０      筐体壁
６１１      下側端部
６１２      上側端部
６１３      空間
６１４      内壁面
６１５      外壁面
６１６      下位置決めブロック
６１７      上位置決めブロック
６２０      ラッピングシート
６２０´    接合シート
６２１      メインボディ
６２２      下位置決め部
６２３      上位置決め部
６２４      両面テープ
【図１】
0003208773.tif 000003
【図２】
0003208773.tif 000004
【図３】
0003208773.tif 000005
【図４】
0003208773.tif 000006
【図５】
0003208773.tif 000007
【図６】
0003208773.tif 000008